(57)【要約】【目的】本発明の目的は、地中への管体、特に杭を埋め込む方法及びそれに使用する装置を提供することである。【構成】剛性の管体、例えば杭を埋め込む方法は、管体内部に固定した掘削歯駆動装置により掘削歯で掘削しながら、チャック手段とプレスを有する地面に固定された押し込み装置で管体を回転させずに押し込むことからなる。掘削歯駆動装置は、そのチャッキングジャッキが管体内壁を押し付けることにより固定され、モーターが掘削歯を付けた駆動部を回転させる。杭埋設の場合、管体が深さに到達した後、掘削歯はコンクリートで固められて地中に杭とともに残される。【選択図】  図１
2004332300.tif 000002
【特許請求の範囲】
【請求項１】
剛性の管体を土中に押込むための押し込み手段を地面に固定すること、
該押込み手段に管体の一単位を固定すること、
該管体の最先端よりも先に掘削歯が出るように、該管体の先端部の内部に掘削歯駆動装置を固定してから掘削歯を該掘削歯駆動装置の駆動部に取付けるか又は掘削歯を掘削歯駆動装置に取り付けてから該管体の先端部の内部に該掘削歯駆動装置を固定すること、
地上より制御する該掘削歯駆動装置の駆動部の駆動により該掘削歯を用いて地中に穴をあけながら該管体を回転させずに該押し込み手段により地中に押し込みすることと管体の一定距離の前進毎に必要となる場合の該管体の該押し込み手段への再固定とを必要なだけ繰り返すこと、但し、その際に必要なら新たな管体の一単位を地中に押し込みしている管体の後端に連結すること、
必要に応じて掘削位置に対して地上から適時又は常時、加泥材の添加及び／又は排泥を実施すること、
管体の先端が所望深さまで達した後に、該駆動装置と該管体との固定の解放と、該掘削歯と地盤との間への固化材料の充填による該掘削歯の固定と、該掘削歯の該駆動装置からの切り離しによる駆動装置の回収を実施すること、
を含んでいる管体の全部又は一部を地中に埋め込む方法。
【請求項２】
該押し込み手段が、管体のある高さの外周面を複数方向から中心に向かって押し付けて該管体を保持するチャック手段、該チャック手段を下向きに押し下げるための油圧プレス、及び該油圧プレスを地面から高い位置に固定しているフレームとを有し、
該押込み手段への管体の固定を該チャック手段により、そして該管体を回転させずに該押し込み手段により地中に押し込みすることを、該油圧プレスによりそれぞれ実施することを特徴とする請求項１に記載の方法。
【請求項３】
該掘削歯駆動装置が、管体内に掘削歯駆動装置を固定するために管体内で複数の放射方向に広がり管体内壁を押付けるチャッキングジャッキ、先端に掘削歯を掘削可能に保持するための回転駆動部、該回転駆動部を回転させるためのカッターモーター、及び該回転駆動部の先端への該掘削歯の該保持と保持解除の為の手段を有することを特徴とする請求項２又は３に記載の方法。
【請求項４】
該管体と該掘削歯とをコンクリートで固定結合した場合に、該掘削歯が該管体の沈み込みの防止に寄与するように、該掘削歯の上部が該管体の先端を受ける面をなしており、
該駆動装置と該管体との固定の解放後、該掘削歯と地盤との間への固化材料の充填による該掘削歯の固定の前に、該管体の下端が該面に当たるようにすることを特徴とする、
請求項１〜３のいずれか一に記載の方法。
【請求項５】
制御手段により、該押し込み手段の押し込み力の大きさを、該回転駆動部又は該モーターにかかる負荷の大きさ又は回転の遅さに応答して減少させることを特徴とする請求項１〜４のいずれか一に記載の方法。
【請求項６】
該回転駆動部と該掘削歯とが中心の管を有し、該掘削歯がその先端近くに中心の管に接続され掘削位置に向かって開いている穴を有し、それらが加泥材及び／又はコンクリート供給手段をなすことを特徴とする請求項１〜５に記載の方法。
【請求項７】
請求項１〜６のいずれか一の方法又は任意の他の方法で、コンクリートで固められた根の上に鋼管が存在するように地中に鋼管を埋設し、
該鋼管内に鉄筋及び無鋼骨材を配した後、該鋼管内にコンクリートを流入するか、又は既存のコンクリート杭材を該鋼管内に落とし込み、
該鋼管を地中から抜き上げ除去することからなる、
地中に全部又は一部が埋め込まれたコンクリート杭の形成方法。
【請求項８】
地中に全部又は一部を埋め込むべき剛性の管体内に掘削歯駆動装置を固定するために、複数放射方向に管体内壁を押付けるように動くチャッキングジャッキ、
先端に掘削歯を掘削可能に保持するための回転駆動部、
該回転駆動部を回転させるためのカッターモーター、及び
該回転駆動部の先端と該掘削歯との該保持及び保持解除のための手段、
を有していることを特徴とする、該管体の先端の内部に固定するための掘削歯駆動装置。
【請求項９】
該回転駆動部が、加泥材及び／又はコンクリートの通過を可能にする中心の管を有することを特徴とする請求項８に記載の掘削歯駆動装置。
【請求項１０】
剛性の管体のある高さの外周面を複数方向から中心に向かって押し付けて該管体を保持するチャック手段と、該チャック手段を下向きに押し下げるための油圧プレスと、該油圧プレスを地面から高い位置に固定しているフレームとを有し、該管体を保持して土中に押し込むための押し込み手段、
該管体の最も先端の管内部に固定され、駆動部を有する掘削歯駆動装置、
該管体の先端より外に位置するように、該掘削歯駆動装置の駆動部に取り外し可能に固定されるための掘削歯、
該押し込み手段の押し込み力を該駆動部にかかる負荷の大きさに応答して減少させる制御手段、
該管体の掘削歯の掘削位置に加泥材及び／又はコンクリートを供給する手段、
該管体の掘削歯付近から排泥を地上に送るための手段、
の組合わせからなる、土中に剛性の管体の全部又は一部を埋めるための装置。
【発明の詳細な説明】
【０００１】
【産業上の利用分野】
本発明は剛性の管体例えば管状の杭を地中に埋設する方法、その方法を利用したコンクリート杭の形成方法、その埋設に使用される装置に関する。建築物の地盤強化のため強固な地盤の支持層までとどくように鋼管やコンクリート管の杭が必要なら継ぎ合されて埋設されている。また、井戸や流体通路等の垂直穴を形成する為に剛性の管体を地中に埋設することが必要な場合が存在する。
なお、本明細書で、地中に管体を埋設するという場合などの「埋設」という用語は、管体の全部のみならず一部しか地中に埋められない場合も含むものと定義する。また、本明細書で「管体」という用語は、断面が円形のものに限らず任意の形である両端が開放している中空の柱状体、及び断面がチャンネル形又はエ字形の柱状体であって、鋼製、コンクリート製又はそれ以外の剛性の材質のものを意味するものと定義する。
【０００２】
【従来の技術】
杭の埋設方法は、以前は杭打ちハンマーによる打ち込み法が行われたが、近年は騒音の少ないねじ込みや押し込みによる方法が多くなってきた。杭のねじ込みの場合も押し込みの場合も、杭の埋め込む場所が軟らかいことはないから杭の先端よりも前で穴が掘られている必要がある。
【０００３】
土中に穴をあける方法は、杭の先に付けた歯を地上からの杭にあたえる回転力で回転させて穴をあけその際歯は杭につけたまま地盤中に残してしまう方法と、杭の回転によらないで地上からの動力により杭の先端で適当な方法で掘削を実施し埋設が終れば掘削に使用した装置を回収する方法とに分け得る。
【０００４】
前者の場合は、掘削歯形は、回転力が伝わりやすく回転に対する抵抗が少ない鋼管の先端を周にそってギザギザの歯にした形態のものが多く知られている。深くなれば当然杭が回転するのに摩擦が大きくなって穴あけの困難性が増してくる。しかし、余り穴がゆるいと杭は安定しない。逆に穴径を鋼管径よりも大きくする度合いが小さすぎれば杭を進入させるのにより手間どることになる。更に、上記の形状的な制限のため、鋼管杭先端には杭の沈み込みを防ぐ抗力を生じる形状のものを設けにくいという欠点を有する。
【０００５】
後者の場合、掘削歯の形に関しては自由度は大きいが、掘削歯の単純な回転で穴をあける場合等は、地上から動力を作用させる場合には、深く埋められていくに従って動力伝達の効率は低下し、また力を真下に加えるのが大変になってくる。しかし、杭の進入とは独立に穴あけを行うと、穴あけの直線性保持が難しいから、杭の先で掘削しながら杭を進入させる。
【０００６】
出願人は、上記の課題を解決すべく鋭意研究を行った結果、イ）杭として中空管状のものを使用し、ロ）杭の先端部の管内部に回収出来る動力を固定するが、その動力により回転される掘削歯は使い捨てとして先端の前方に位置させ、ハ）杭が埋設位置まで押し込まれたら掘削歯と杭との間にコンクリートを流し込み、一方動力装置は回収するようにすれば全てが解決できることを発見し、本発明を完成させた。  即ち、
【０００７】
１．
剛性の管体を土中に押込むための押し込み手段を地面に固定すること、
該押込み手段に管体の一単位を固定すること、
該管体の最先端よりも先に掘削歯が出るように、該管体の先端部の内部に掘削歯駆動装置を固定してから掘削歯を該掘削歯駆動装置の駆動部に取付けるか又は掘削歯を掘削歯駆動装置に取り付けてから該管体の先端部の内部に該掘削歯駆動装置を固定すること、
地上より制御する該掘削歯駆動装置の駆動部の駆動により該掘削歯を用いて地中に穴をあけながら該管体を回転させずに該押し込み手段により地中に押し込みすることと管体の一定距離の前進毎に必要となる場合の該管体の該押し込み手段への再固定とを必要なだけ繰り返すこと、但し、その際に必要なら新たな管体の一単位を地中に押し込みしている管体の後端に連結すること、
必要に応じて掘削位置に対して地上から適時又は常時、加泥材の添加及び／又は排泥を実施すること、
管体の先端が所望深さまで達した後に、該駆動装置と該管体との固定の解放と、該掘削歯と地盤との間への固化材料の充填による該掘削歯の固定と、該掘削歯の該駆動装置からの切り離しによる駆動装置の回収を実施すること、
を含んでいる管体又は管体からなる杭の埋設方法。
２．
該押し込み手段が、管体のある高さの外周面を複数方向から中心に向かって押し付けて該管体を保持するチャック手段、該チャック手段を下向きに押し下げるための油圧プレス、及び該油圧プレスを地面から高い位置に固定しているフレームとを有し、
該押込み手段への管体の固定を該チャック手段により、そして該管体を回転させずに該押し込み手段により地中に押し込みすることを、該油圧プレスによりそれぞれ実施することを特徴とする上記１に記載の埋設方法。
３．
該掘削歯駆動装置が、管体内に掘削歯駆動装置を固定するために管体内で複数の放射方向に広がり管体内壁を押付けるチャッキングジャッキ、先端に掘削歯を掘削可能に保持するための回転駆動部、該回転駆動部を回転させるためのカッターモーター、及び該回転駆動部の先端への該掘削歯の該保持と保持解除の為の手段を有することを特徴とする上記２又は３に記載の埋設方法。
４．
該管体と該掘削歯とをコンクリートで固定結合した場合に、該掘削歯が該管体の沈み込みの防止に寄与するように、該掘削歯の上部が該管体の先端を受ける面をなしており、
該駆動装置と該管体との固定の解放後、該掘削歯と地盤との間への固化材料の充填による該掘削歯の固定の前に、該管体の下端が該面に当たるまで該管体が押し込み手段により押し込まれることを特徴とする、
上記１〜３のいずれか一に記載の埋設方法。
５．
制御手段により、該押し込み手段の押し込み力の大きさを、該回転駆動部又は該モーターにかかる負荷の大きさ又は回転の遅さに応答して減少させることを特徴とする上記１〜４のいずれか一に記載の埋設方法。
６．
該回転駆動部と該掘削歯とが中心の管を有し、該掘削歯がその先端近くに中心の管に接続され掘削位置に向かって開いている穴を有し、それらが加泥材及び／又はコンクリート供給手段をなすことを特徴とする上記１〜５に記載の埋設方法。
７．
上記１〜６のいずれか一の方法で地中に管体を埋設し、
該管体内に鉄筋及び無鋼骨材を配し、
該管体内にコンクリートを流入し、
該管体を抜き上げ地中から除去することからなる、
地中コンクリート杭の埋設方法。
８．
地中に埋設すべき剛性の管体内に掘削歯駆動装置を固定するために、複数放射方向に管体内壁を押付けるように動くチャッキングジャッキ、
先端に掘削歯を掘削可能に保持するための回転駆動部、
該回転駆動部を回転させるためのカッターモーター、及び
該回転駆動部の先端と該掘削歯との該保持及び保持解除のための手段、
を有していることを特徴とする、該管体の先端の内部に固定するための掘削歯駆動装置。
９．
該回転駆動部が、加泥材及び／又はコンクリートの通過を可能にする中心の管を有することを特徴とする上記８に記載の掘削歯駆動装置。
１０．
剛性の管体のある高さの外周面を複数方向から中心に向かって押し付けて該管体を保持するチャック手段と、該チャック手段を下向きに押し下げるための油圧プレスと、該油圧プレスを地面から高い位置に固定しているフレームとを有し、該管体を保持して土中に押し込むための押し込み手段、
該管体の最も先端の管内部に固定され、駆動部を有する掘削歯駆動装置、
該管体の先端より外に位置するように、該掘削歯駆動装置の駆動部に取り外し可能に固定されるための掘削歯、
該押し込み手段の押し込み力を該駆動部にかかる負荷の大きさに応答して減少させる制御手段、
該管体の掘削歯の掘削位置に加泥材及び／又はコンクリートを供給する手段、
該管体の掘削歯付近から排泥を地上に送るための手段、
の組合わせからなる、土中に剛性の管体を埋設するための装置。
【０００８】
【実施例】
以下図面を参照しながら管体が断面が環形の杭である場合の例を用いて、本発明を説明する。
図１は杭１の先端よりも前に位置する掘削歯２を先端に取り付けた掘削歯駆動装置３が、杭１の先端部の内部に固定されている様子を大部分を立断面で示している説明図である。図１の※印は、都合上分離して描かれているが※印部分で互いにつながっていることを示している。図２は、掘削歯２から掘削歯駆動装置３がはずされた状態を示す説明図である。図３は、図１で示されるものの底面、Ａ、及びＢで示す位置から見た平面の図を示している。
【０００９】
図１に示すように、掘削歯駆動装置３は、カッターモーター４によりギア５を介してリング部材２０を回転させることにより回転駆動部６を回転させる（図１には、図３のＡに示す３個のカッターモーターうちの１個のみを断面ではなく略図として示している。）。回転駆動部６の先端には掘削歯２が取り付けられている。また掘削歯駆動装置３は杭１の内周面に自身を固定するために複数箇所（この場合図３のＢに示す通り２箇所）で杭１の内周面を押し付けて保持するチャッキングジャッキ７も含んでいる。
【００１０】
杭１の最も先端部には、掘削歯駆動装置３を容易に配置させるために、フック８を支える突起９、チャッキングジャッキ７と係合する突起１０、１１、最も先端で掘削歯駆動装置３を中心に位置させ排泥等の進入も防止する円環状の突起１２が溶接されている。フック８を支える突起９はチャッキングジャッキ７が作用していない掘削歯駆動装置３が杭１に固定されていない状態でもとりあえず掘削歯駆動装置３を所定場所に位置させ得るように設けられている。但し、これらの突起９、１０、１１、１２は必須のものではない。突起９がなくてもクレーン操作や適当な設置用の台を使用して所定位置に掘削歯駆動装置３を固定することが出来る。また、チャッキングジャッキ７の押し付けだけによって、突起１０、１１がなくても固定は出来、また円環状の突起１２がなくても中心に位置させることができる。また、掘削歯駆動装置３を、下部が泥に接することに耐えるものに設計することは当業者が容易に成し得ることである。
【００１１】
図２では放射方向に動くチャッキングジャッキ７が中心方向に引っ込んだ状態で示され杭内壁から離れているが、図１では放射方向に動くチャッキングジャッキ７が杭内壁を押し付け杭１の突起１０、１１と係合した状態で示されている。このようにして掘削歯駆動装置３は杭１の内部にしっかりと固定される。ここで、杭の断面形が円形ではなくても、チャッキングジャッキ７は杭の壁を押し付けることが出来さえすれば杭の先端に掘削歯駆動装を固定出来るから、本発明に於いて、掘削歯駆動装置の形態を工夫しさえすれば、断面が円環形でない管体の埋め込みにも、また断面がチャンネンル形やエ字形管体の埋め込みにも本発明は用いることが出来る。
【００１２】
回転駆動部６による掘削歯２の保持は、回転駆動部６を介して掘削歯２に対し下に押す力と回転力を伝えうる保持であって、取り外しが必要なときに保持の解除が可能なものであればよい。図１では、一旦掘削歯２の突起１２が回転駆動部６の穴１３（図２も参照）に押し込まれたら、ゴムリング１４によって、強い力を加えて互いの反対方向に引き抜かない限り掘削歯２が回転駆動部６に保持される。その他の保持方法であって、回転駆動部６が掘削歯２に力を加えている間及び掘削中なんらかの理由で後退を余儀なくされる時等は外れないようにするが、外したい時は外れるようにする取り付け方法（図示なし）が多数存在することは当業者に自明である。例えば回転駆動部６と掘削歯２の結合部形状を適当な咬みあう関係の形にして結合させ、電磁石による脱着や地上からの遠隔操作による機械的な脱着を行うことが出来る。従って、回転駆動部６による掘削歯２の保持はこの実施例の方法に限定されない。
【００１３】
回転駆動部６の中心には管１５があり、掘削歯２が取り付けられた状態では、管１５は掘削歯２の管１６とそろっており、掘削歯２の掘削部分への加泥材及び／又はコンクリートの注入のための通路を与える。管１５の上部には連結部１７があって、連結部１７は回転駆動部６と共に回転する管１５と回転しない注入用のホース（図示なし）との連結を可能にする。一方、掘削歯２の中心の管１６は出口穴１８につながっている。
【００１４】
掘削歯の形状は、掘削に適したものであればよく、本発明では図１、２及び図３の底面に示したものに限定されないが、図２に示されるように、上端が杭１の先端（下端）を受ける面１９を形成するのが好ましい。図２に示されるように杭１が所望の位置まで到達した後に掘削歯２がコンクリートで固められたら、杭１の下端が面１９に載ることによって、杭１の沈み込みが防止される。
【００１５】
掘削歯２の回転で掘削を行いながら、杭１は図４及び図５に示されるように押し込み装置２１で前方に押される。そのために押し込み装置２１は、杭１を周囲からチャックするチャック手段２２を先端に有しており、地面に固定されているフレーム２３の高位置に固定されている複数のプレス２４を有している。図６は、チャック手段２２が杭１を周囲からチャックする様子を示している。杭１の周囲をしっかり固定したチャック手段２２は、固定状態でプレス２４により図４に示す位置から図５に示す位置に押し下げられ、それにより先端で掘削中の杭１は地盤のより奥へ進む。必要な場合には、管１５へ加泥材を注入することにより、排泥を流動化させて排泥パイプからの排泥を容易にするようにする。
【００１６】
地盤が固い場合には掘削歯に負荷がかかりすぎると回転が止ってしまう。これを防止するために、プレス２４の押し込み力を掘削歯にかかる負荷の大きさに応じて減少させるコンピューター制御装置（図示なし）を使用する。掘削歯にかかる負荷は、回転駆動部６又はカッターモーター４の回転速度の減少、又はモーターへ電源を供給する電気回路の電気的な変化として現われるから、それらの何れかを感知してその信号を計算機に入力し、得られた結果に応じて自動的にプレス２４の押し込み力を制御することは、本発明の構成を一旦知ったならば詳しく説明しなくても、当業者であれば容易に設計できることである。
【００１７】
この実施例に於ける杭埋め込み方法の手順は以下の通りである。
１）杭を埋め込みする位置に於て、押し込み装置２１を地面に固定し、プレス２４は引っ込んだ位置にしておく。
２）最初の杭をクレーンで吊るしてチャック手段２２で固定する。
３）掘削歯駆動装置３を杭の先端に配置し、チャッキングジャッキ７で杭内壁を押し付け固定する。
４）掘削歯２を位置合せしたのち、掘削歯２に向けてプレス２１で杭を押し下げることにより、掘削歯駆動装置３の回転駆動部６の穴に掘削歯２の突起を押し込む。
５）掘削と押し込みとを、杭の別の高さにチャック手段２２を再固定することや杭の連結を行いながら、必要なだけ実施する。必要なら、加泥材の注入と排泥とを実施する。
６）所望深さに到達後、チャッキングジャッキ７を中心方向に引き込んで掘削歯駆動装置３の固定を解く。
７）杭を掘削歯３の上面に当たるまで沈める。
８）コンクリートを掘削歯の先端近くの穴から掘削位置に流し込んで掘削歯をコンクリートで固める。
９）掘削歯駆動装置３を掘削歯から引き抜き、回収する。
【００１８】
以上、杭を埋め込む場合についての例を示したが、本発明は杭のみならず、剛性の管体を地中に埋設する方法と装置にも関する。上の実施例の杭埋め込み方法の手順で、「杭」を「管体」とし、次の段落に記載する現場形成コンクリート杭や、井戸、流体通路の垂直部分、マンホールなどの形成に用いる管体を地中に埋め込むことが出来る。
【００１９】
現場形成コンクリート杭の製造は、図７の工程略図で示されるように、上記の実施例の２つ前の段落に於ける杭埋め込み方法の手順の段階のうち、段階７）、８）、及び９）を以下の通り
７）コンクリートを掘削歯の先端近くの穴から掘削位置に流し込んで掘削歯をコンクリートで固める。
８）掘削歯駆動装置３を掘削歯からはずして、回収する。
９）鉄筋、無鋼骨材を配した後、コンクリートを流し込む。
１０）管体を上の実施例で記載した押し込み装置等を用いて引き抜く。
に変更して、但し管体として、内壁に余分な突起が可能な限りないものを使用し、また管の継ぎかたに関しては、例えば特許第３２２８６９１号に記載されるような内側や外側に余分な突出を生じない継ぎ手を使用した継ぎ方を用いて、上記の本発明の杭（管体）の埋設方法及び装置を用いて実施出来る。
【００２０】
ここで、図８に記載するように、前段落の９）での、「鉄筋、無鋼骨材を配した後、コンクリートを流し込む」段階を、「既存のコンクリート杭を落とし込むこと」に変えることによっても、コンクリート杭を形成出来る。
【００２１】
【効果】
１．杭の回転のない掘削を実施し且つ掘削歯に接近させて掘削歯駆動装置を配置するため、深くなっても杭回転による掘削力のロスや掘削歯と掘削歯駆動装置の距離があることによる掘削力のロスが生じない。
２．杭押し込みと同時に掘削を実施するため杭進行の直進性が維持されやすい。
３．掘削歯をコンクリートで固めた後は、掘削歯が杭の土台となって杭の沈み込みを防止し、しっかりとした杭基礎が実現できる。
４．駆動装置が地面深く埋め込まれた杭内にあるため、騒音を生じることがない。
５．作業者は、地上からの押し込み力の自動制御だけ監視を行って杭の押し込みだけしておれば、あとはチャック手段の操作と杭材の連結だけでよく、杭先端におけるトラブルも起こりにくく、万一トラブルが起きても、その場で埋めた分だけの杭のみ固定して掘削歯駆動装置を回収してしまえばよい。
６．埋設された杭は鋼管杭であれば鋼管内部が中空であり、そのまま使用することも廃物の充填に利用することもでき、また鉄筋を配しコンクリートを流し込むか又は既成のコンクリート杭を落とし込んでコンクリート杭を形成したのちに鋼管部分のみ引き抜くことも出来る。
【図面の簡単な説明】
【図１】図１は本発明の掘削歯を付けた掘削歯駆動装置が、杭の先端部の内部に固定されている様子を大部分を立断面で示している説明図である。
【図２】図２は、掘削歯から掘削歯駆動装置がはずされた状態を示す図１と同様の説明図である。
【図３】図３は、図１で示されるものの底面、Ａ、及びＢで示す位置から見たそれぞれの平面の図を縦に並べて示す説明図である。
【図４】図４は、本発明の杭埋め込みシステムにおける杭押し込み装置を説明する略図である。
【図５】図５は、プレスが押し下げられた状態の図４と同様の略図である。
【図６】図６は、押し込み装置のチャック手段が杭をチャックした状態を示す平面図である。
【図７】図７は、管体の埋設方法及び装置を利用した現場形成コンクリート杭の製造工程略図である。
【図８】図８は、管体の埋設方法及び装置を利用した既成コンクリート杭の埋設方法の工程略図である。
【図１】
2004332300.tif 000003
【図２】
2004332300.tif 000004
【図３】
2004332300.tif 000005
【図４】
2004332300.tif 000006
【図５】
2004332300.tif 000007
【図６】
2004332300.tif 000008
【図７】
2004332300.tif 000009
【図８】
2004332300.tif 000010